(57)【要約】【課題】汎用的に表示部や操作部を交換することができ、ユーザに固有の携帯電話を構築することができる通信部脱着型携帯電話を提供する。【解決手段】受発信の制御を行う操作部と、操作内容を表示する表示部と、少なくとも発信者を特定する電話番号を含む発信者情報が登録され、外部との通信を確立する通信部とを含む携帯電話であって、通信部が操作部及び表示部と分離しており、脱着可能であるとともに、携帯電話以外の通信機器にも接続可能となっている。【選択図】　図１
2004032544.tif 000002
【特許請求の範囲】
【請求項１】
受発信の制御を行う操作部と、
操作内容を表示する表示部と、
外部との通信を確立する通信部とを含む携帯電話であって、
前記通信部が前記操作部及び前記表示部と分離しており、脱着可能であることを特徴とする通信部脱着型携帯電話。
【請求項２】
前記操作部と前記表示部も互いに分離しており、脱着可能である請求項１に記載の通信部脱着型携帯電話。
【請求項３】
前記通信部に、少なくとも発信者を特定する電話番号及び使用状況に関する情報を含む発信者情報を保存する請求項１又は２に記載の通信部脱着型携帯電話。
【請求項４】
前記通信部が、携帯電話以外の通信機器にも接続可能である請求項１から３のいずれか一項に記載の通信部脱着型携帯電話。
【発明の詳細な説明】
【０００１】
【発明の属する技術分野】
本発明は、第三者と通信を行うために必要な情報を有する通信部が独立しており、本体から脱着可能で、他の通信機器にも接続可能な通信部脱着型携帯電話に関する。
【０００２】
【従来の技術】
昨今の急速な携帯電話の普及により、電話機が一家に一台という時代から、各人に一台、あるいは各人ごとに複数台保有する時代へと急激に転換しつつある。かかる状況下においては、各家庭ごと、あるいは個人が複数の回線契約を行う必要があり、電話番号の管理等が煩雑になってしまうという問題点があった。
【０００３】
かかる問題点を解決するために、例えば特開平１―１８０１３５号公報においては、自動車電話に電話番号等の情報を集約した脱着可能なチップを設け、チップに登録されている電話番号と契約しておきさえすれば、どの自動車電話であっても使用することができるという自動車電話システムを開示している。
【０００４】
【発明が解決しようとする課題】
しかし、ユーザが複数台の携帯電話を保有する最大の理由は、契約方法の簡略化というよりも使い勝手やそのデザインにある。すなわち、Ａ社製の携帯電話を購入したが、デザインはＢ社製の携帯電話の方が気に入ったとか、あるいは操作はＣ社製の携帯電話が採用している方法が馴染みやすい、というような場合、従来はＡ社製、Ｂ社製、Ｃ社製全てを購入する必要があるという問題点があった。
【０００５】
かかる問題は、上述した特開平１―１８０１３５号公報において開示されている自動車電話システムを携帯電話に適用すれば解消できると考えられる。しかし、特開平１―１８０１３５号公報において開示されている自動車電話システムでは、表示部や操作部のみを変更することができず、携帯電話全体を交換する必要があるという問題点、及び情報のみを蓄積しているメモリ等を着脱可能としていることから、読み取りフォーマットの相違する携帯電話等の電話機に対しては使用することができず、汎用性に欠けるという問題点が残されている。
【０００６】
本発明は、汎用的に表示部や操作部を交換することができ、ユーザに固有の携帯電話を構築することができる通信部脱着型携帯電話を提供することを目的とする。
【０００７】
【課題を解決するための手段】
上記目的を達成するために本発明にかかる通信部脱着型携帯電話は、受発信の制御を行う操作部と、操作内容を表示する表示部と、外部との通信を確立する通信部とを含む携帯電話であって、通信部が操作部及び表示部と分離しており、脱着可能であることを特徴とする。
【０００８】
かかる構成により、通信を行う通信部とその他の構成部品とを分離することができることから、通信部以外の構成部品について容易に交換することができ、ユーザの嗜好に応じたユーザに固有の携帯電話を構成することが可能となる。ここで、「通信部」とは、通信を確立するのに必要な情報を記憶するメモリのみならず、当該メモリに保存されている情報を用いて実際に通信を確立する機能を有するものとする。
【０００９】
また、本発明にかかる通信部脱着型携帯電話は、操作部と表示部も互いに分離しており、脱着可能であることが好ましい。ユーザの嗜好に応じて、より柔軟に操作部及び表示部を選択することができるからである。
【００１０】
また、本発明にかかる通信部脱着型携帯電話は、通信部に、少なくとも発信者を特定する電話番号及び使用状況に関する情報を含む発信者情報を保存することが好ましい。通信部の購入時に一つの回線契約を行うことによって、操作部及び表示部をどのような組合せで選択した場合であっても、一つの回線として使用することができるからである。
【００１１】
また、本発明にかかる通信部脱着型携帯電話は、通信部が、携帯電話以外の通信機器にも接続可能であることが好ましい。通信部を他の通信機能を有するハードウェアにも接続可能とすることによって、ＰＤＡ等の携帯端末やパーソナルコンピュータ等においても通話可能とすることができ、携帯電話では対応できない大容量データを取り扱う場合や、携帯電話に電池切れが生じた場合であっても、必要な通話を行うことができるからである。
【００１２】
【発明の実施の形態】
以下、本発明の実施の形態にかかる通信部脱着型携帯電話について、図面を参照しながら説明する。図１は本発明の実施の形態にかかる通信部脱着型携帯電話の構成図である。
【００１３】
図１において、（ａ）は表示部１と操作部２が一体成形されている一体型の携帯電話を、（ｂ）は表示部１と操作部２が分離可能な折りたたみ型の携帯電話を、それぞれ示している。図１（ａ）及び図１（ｂ）において、３が通信部を示しており、それぞれの本体部へセットすることによって通話が可能となる。
【００１４】
通信部３のセット方法については、特に限定されることなく、様々な方法が考えられる。例えば、図１（ａ）及び図１（ｂ）に示すように、充電池と同様に本体部の裏面にはめ込んで固定する方法が考えられる。この場合、電池を先に挿入する方法でも、後から挿入する方法でもどちらでも良い。
【００１５】
図２に、本発明の実施の形態にかかる通信部脱着型携帯電話における通信部３に保持されるデータ構成の例示図を示す。図２に示すレコードイメージのように、少なくとも発信者を特定する電話番号を含むと共に、良く発信する電話番号と宛先を一対にデータとしたメモリダイアルや、不在着信等を記録する着信履歴等のこれまでの通信状況に関する情報についても保存することになる。もちろん図２に示す構成例に限定されるものではなく、発信者を特定できる情報、及び携帯電話の現在までの使用状態を示す情報で有れば何でも良い。
【００１６】
また、図３に示すように、メモリスティックのような記録媒体と一体となった通信部３を、例えば操作部２の挿入部４に差し込むことも考えられる。この場合、通信回路等は通信部３の内部に事前に構成しておき、表示部１及び操作部２とは共通のインタフェースを用いてデータ交換できるようにする。したがって、データ結合インタフェースを各社共通としておくことによって、互換性を保持することが可能となる。
【００１７】
さらに、図４に示すように、アダプタとして通信部３を独立させ、携帯電話底部におけるアダプタ接続部５へ接続可能なものであっても良い。携帯電話には必ずアダプタ接続部５があることから、メーカーにとらわれず、好みの携帯電話を使用可能とすることができる。
【００１８】
一方、図１（ｂ）に示す折りたたみ型携帯電話の場合、表示部１と操作部２についても相互に切り離すことができる構成も考えられる。この場合、例えば表示部１については液晶画面がきれいなＤ社製を、操作部２については従来から使用して操作に慣れているＣ社製を、というようにユーザが自分の要望に沿った組み合せで自分固有の携帯電話を構成することが可能となる。
【００１９】
また、通信部３における通信規格を標準化することによって、携帯電話のみならず、ＰＤＡ等の携帯端末やパーソナルコンピュータ等の他の機器を電話機として用いることができる。あるいは通常の電話機についても、携帯電話一台分の回線契約が有りさえすれば使用できるようにすることができる。このようにすることで、前者においては大容量のデータを交換する必要がある場合には携帯電話に内蔵されているメモリでは十分で無い場合であっても、後者においては携帯電話の電池切れ等が生じた場合であっても、それぞれ確実なデータ交換又は連絡を行うことができる。
【００２０】
なお、パーソナルコンピュータに接続する場合においては、通信部３にアンテナ部分も含まれていることが望ましい。通常のパソコン通信等に使用するためには、アンテナが必要となるからである。
【００２１】
以上のように本実施の形態によれば、通信を行う通信部とその他の構成部品とを分離することができることから、通信部以外の構成部品について容易に交換することができ、ユーザの嗜好に応じたユーザに固有の携帯電話を構成することが可能となる。
【００２２】
また、通信部の購入時に一つの回線契約を行うことによって、操作部及び表示部をどのような組合せで選択した場合であっても、一つの回線として使用することができる。
【００２３】
さらに、通信部を他の通信機能を有するハードウェアにも接続可能とすることによって、ＰＤＡ等の携帯端末やパーソナルコンピュータ等においても通話可能とすることができ、携帯電話では対応できない大容量データを取り扱う場合や、携帯電話に電池切れが生じた場合であっても、必要な通話を行うことが可能となる。
【００２４】
【発明の効果】
以上のように本発明にかかる通信部脱着型携帯電話によれば、通信を行う通信部とその他の構成部品とを分離することができることから、通信部以外の構成部品について容易に交換することができ、ユーザの嗜好に応じたユーザに固有の携帯電話を構成することが可能となる。
【図面の簡単な説明】
【図１】本発明の実施の形態にかかる通信部脱着型携帯電話の構成図
【図２】本発明の実施の形態にかかる通信部脱着型携帯電話における通信部に保存されるデータ構成の例示図
【図３】本発明の実施の形態にかかる通信部脱着型携帯電話における通信部接続形態の例示図
【図４】本発明の実施の形態にかかる通信部脱着型携帯電話における通信部接続形態の例示図
【符号の説明】
１　表示部
２　受信部
３　通信部
４　挿入部
５　アダプタ接続部
【図１】
2004032544.tif 000003
【図２】
2004032544.tif 000004
【図３】
2004032544.tif 000005
【図４】
2004032544.tif 000006